(57)【特許請求の範囲】
【請求項１】
水を電気分解することによりアルカリ性水と酸性水を生成し、この生成されたアルカリ性と酸性の電解水を各別に流出させる電解槽と、電解槽の下流側に配設され、電解槽で生成された電解水の少なくとも一方の水質を電気化学的に測定する電気化学的水質測定器とを具備して形成される電解水生成装置において、電気化学的水質測定器の電解水を通して水質を測定する検水溶液室に流入口と流出口を設け、流入口と流出口との間の水路が検水溶液室内で対角上に位置すると共に流入口が流出口より下側に位置するように流入口と流出口を配置し、流入口の開口面積を流出口の開口面積よりも小さく形成して成ることを特徴とする電解水生成装置。
【請求項２】
電気化学的水質測定器を検水溶液室にｐＨを測定するための作用電極部のガラス感応膜を設けて形成し、この検水溶液室に流入口をその開口が、ガラス感応膜の下端部より上側になるように設けて成ることを特徴とする請求項１に記載の電解水生成装置。
【発明の詳細な説明】
【０００１】
【発明の属する技術分野】
本発明は、連続してアルカリ性水と酸性水を電解生成する電解槽と、水道原水やその浄水、あるいは電解槽で生成されたアルカリ性や酸性の電解水などの水質を電気化学的に測定する水質測定器とを設けて形成される電解水生成装置に関するものである。
【０００２】
【従来の技術】
電解槽２と電気化学的水質測定器２０とを設けた電解水生成装置１として、図１０に示す構造のものが本出願人から提供されている。図１０に示す電解水生成装置１は電解槽２、浄水装置３、電解質（電解促進剤）供給装置４などから構成されるいわゆるアルカリイオン整水器であり、電解槽２は隔膜５により、電極６が配置された電極室７と、電極８が配置された電極室９とに槽内部を区画して形成してある。
【０００３】
そして水道水が一般に使用される原水は、まず浄水装置３を通して浄化される。浄水装置３は原水に含まれる有機物、無機物あるいは次亜塩素酸などの臭気成分を除去するものであり、通常、抗菌活性炭フィルタ及び中空糸膜などのマイクロフィルターにて構成されている。次に、浄水装置３から流出した浄水は、電極室９に連通した流入路１１と、電極室７に連通した流入路１０とに分流されて電解槽２に流入される。このように電解槽２の電極室７に流入される水には、電極室７の上流において接続された電解質供給装置４から電解を促進する電解質が連続的に供給されるようになっている。電解質としては乳酸カルシウムまたはグリセロリン酸カルシウムなどのカルシウム塩が使用される。
【０００４】
上記のように電解槽２に水を連続的に流しながら、電極６に陽極の電解電圧を印加すると共に電極８に陰極の電解電圧を印加して電気分解することによって、電極室９にアルカリ性水（いわゆるアルカリイオン水）が、電極室７に酸性水（いわゆる酸性イオン水）が生成される。このように生成されたアルカリ性水は流出路１２から、酸性水は流出路１３から別々の流路を通って吐出される。
【０００５】
尚、電解質供給装置４から電解質が陰極の電極室９に供給されると、電極室９から吐出されるアルカリ性水に電解質が混入するので、電極室７に流入する水にのみ電解質供給装置４から電解質が添加されるようにしてある。特に電解質として乳酸カルシウムを用いた場合には、乳酸イオンが前駆体となって揮発性の有機塩素化合物等が生成される可能性があるため、主として飲用等に使用されるアルカリ性水に乳酸イオンの混入を避ける必要がある。このため、電解質を添加した水を陽極の電極室７に流入させることによって、陰極の電極室９のアルカリ性水にはカルシウムイオンのみが添加され、乳酸イオンは電極室７の酸性水とともに排出されるようにしてある。ここで、アルカリ性水を生成する際に同時に生成される酸性水には乳酸イオンが添加されてアストリンゼント効果を有するので、アストリンゼントの目的に利用される。
【０００６】
上記のようにして電解槽２で電気分解して得られたアルカリ性や酸性の電解水の水質は、電気分解のために供給した電気量に応じてｐＨ値がファラデーの法則に従うため、従来では、電気分解に要した電気量から逆算して推定されていた。しかし、電解槽２で生成された電解水の水質は、電気分解のために供給した電気量の他に、電解槽２への水の通水流量、電解槽２での水の滞留時間、電解槽２への水の流入流量と電解槽２の容積の比などにも依存する。例えば電解槽２での水の滞留時間が長ければ長い程、電解効率が上がり、電解効率が１００％に満たない場合（一般には連続通水式の電解水生成装置では電解効率は１０％程度である）、電解された水と未電解の水との存在比率により生成された電解水の水質が変わることになる。また水に含まれている溶存成分、特に各種のイオン種や、炭酸水素イオンなどの緩衝性を有する溶存ガスなどによっても、電解後の水質が影響を受ける。
【０００７】
このように、電解水生成装置で得られる電解水の水質は、電解槽２内での印加電圧は勿論、電解槽２に流入する水の量や原水水質等によっても大きな影響を受けるものであり、電気分解に要した電気量から逆算した推定値では水質を把握することができない。そこで、図１２のように、電解槽２で生成されたアルカリ性水や酸性水の流出路１２，１３に電気化学的水質測定器２０を設け、電解水の水質を直接、正しく測定することが行なわれている。
【０００８】
ここで、電解槽２から流出する電解水は数ｃｍ／ｓｅｃ〜数１０ｃｍ／ｓｅｃ程度の流速があり、電解水をリアルタイムで連続的に測定するには、測定に要する時間がタイムラグにならない測定原理で水質の計測を行なう必要があるが、電気化学的測定原理を利用した電気化学的水質測定器２０は、作用電極（検知電極）を通過する検水溶液に直接接触して水質測定を行なうことが可能であり、従って、電解水生成装置１における水質測定手段としては電気化学的測定器２０が最も適しており、このような電気化学的水質測定器２０を用いてｐＨ、酸化還元電位、各種イオン濃度を測定するようにしている。例えば、実開昭５６−１７２３９１号公報に記載されている電解水生成装置には、電気化学的水質測定器としてｐＨセンサを設け、生成された電解水のｐＨ値を表示するようにしてある。また、特開平５−６４７８５号公報に記載されている電解水生成装置では、電気化学的水質測定器としてｐＨセンサを設け、ｐＨセンサの出力信号に基いて、目標設定ｐＨ値に対するその偏差ｐＨに対応した電解電圧や流量を増減させるフイードバック制御を行うようにしている。
【０００９】
上記のような電気化学的測定原理を利用した水質測定器は、作用電極（検知電極）と比較電極で構成される電極を具備して形成されるものであり、水質変化による作用電極と比較電極の間の電位差あるいは電流変化を検知することによって、水質を測定するようにしたものであり、電気化学的水質測定器２０の構造の概略を図７〜図９に示す。
【００１０】
図７はｐＨセンサ、図８は酸化還元電位センサを示すものであり、電気化学的水質測定器２０の本体部は、飽和もしくは３．３Ｍ（ｍｏｌ／Ｌ）の塩化カリウム溶液等の内部溶液１６を封入する封入部１８と、電解水が通水される検水溶液室１９とで形成してある。封入部１８と検水溶液室１９との間に液絡部保持部材２４が設けてあり、液絡部保持部材２４にアルミナ系セラミックスなどの多孔質材で形成される液絡部（塩橋）２２を保持させてある。尚、内部溶液１６には塩化カリウムの安定な溶出及び結晶化防止のためにカルボキシメチルセルロースやヒドロキシエチルセルロースなどのセルロース系増粘剤を添加することもある。比較電極部２１の電極としては銀／塩化銀電極が通常使用され、比較電極部２１は内部溶液１６に浸漬してある。また検知用作用電極部２８ａ，２８ｂとしては、図７のｐＨセンサでは内部電極２６ａをガラス感応膜２７内に封入したものとして形成してあり、また図８の酸化還元電位センサでは白金又は金などの不反応性金属電極２６ｂを用い、白金線等のリード線４４を被覆した熱収縮テフロンチューブ又はガラスなどの絶縁被覆部２９の先端にこの電極２６ｂを取り付けたものとして形成してある。この作用電極部２８ａ，２８ｂはその下部を液絡部保持部材２４を通して検水溶液室１９内に臨ませてある。
【００１１】
また図９は図７のｐＨセンサと図８の酸化還元電位センサとを一体化させた構造のものであり、比較電極２１をｐＨセンサと酸化還元電位センサとで共通して用い、ｐＨと酸化還元電位の両方を測定することができるようにしたタイプのものである。
図７乃至図９において１５は内部溶液補充口、３０は流入口、３１は流出口であり、検水である電解水は流入口３０から検水溶液室１９に入り、流出口３１から流出するように検水溶液室１９内を流れるようになっている。そして内部溶液１６に浸漬される比較電極部２１と検水溶液室１９内において電解質と接触する作用電極部２８ａ，２８ｂとの間で発生した起電力は、増幅アンプで形成される増幅部１４によって適宜の増幅率で増幅され、相当の電圧として出力されるようにしてあり、Ａ／Ｄ変換された後に制御部に入力されるようになっている。ｐＨセンサや酸化還元電位センサの場合には、起電力の値に応じて０〜５Ｖの電圧に増幅して出力するようにしてあるのが一般的である。増幅部１４は電気化学的水質測定器２０と一体化されている場合が多く、増幅部１４を起動させるための電圧は電解水生成装置１から供給されるようになっている。
【００１２】
【発明が解決しようとする課題】
しかし、上記のような構造の電気化学的水質測定装置２０を設けた電解水生成装置１には次のような３つの問題があった。
まず第１の問題を説明する。すなわち、電解槽２で水が電気分解されると、電極８が陰極の電極室９では
２Ｈ2 Ｏ＋２ｅ- →２ＯＨ- ＋Ｈ2 
電極６が陽極の電極室７では
２Ｈ2 Ｏ→４Ｈ+ ＋Ｏ2 ＋４ｅ- 
２Ｃｌ- →Ｃｌ2 ＋２ｅ- 
の反応が起こり、アルカリ性水と酸性水が生成されると同時に、水素や酸素、塩素も発生し、水素や酸素はガス成分として電解水に含まれる。
【００１３】
そしてこのようなガス成分の気泡を同伴した電解水を電気化学的水質測定装置２０の検水溶液室１９に通して計測する際に、特に検水溶液室１９を通過する流量が少ないときには、ガス成分（水路に滞留していた気泡を含む）が気泡として検水溶液室１９内に滞留するおそれがある。この気泡の滞留は、検水溶液室１９内のうち流入口３０よりも流出口３１と反対側寄りの部分（図７〜図９にイ矢印で示す部分）において発生し易い。そしてこのように気泡が検水溶液室１９内に滞留すると、比較電極部２１を内部溶液１６を介して検水である検水溶液室１９内の電解水と電気的に導通させる塩橋の役割を果たす液絡部２２が気泡の層で覆われて断線状態になり、計測が不能になるおそれがあるという問題が生じるものであった。
【００１４】
次に第２の問題を説明すると、電気化学的水質測定装置２０の検水溶液室１９を通過する検水の流量が多い場合には、検水溶液室１９内の内圧が上昇し、液絡部２２に検水溶液室１９側から水圧が作用して液絡部２２に検水が浸入し、この結果、液絡部２２の抵抗値が上昇して不斉電位が発生し、電気化学的水質測定装置２０による水質の測定精度が影響を受けるおそれがあるという問題があった。
【００１５】
さらに第３の問題を説明する。電気化学的水質測定器２０が電解水のｐＨ値を測定する図７や図９のタイプの場合、検知用作用電極部２８ｂとして内部電極２６ａをガラス感応膜２７内に封入したものが使用されている。このように形成される電気化学的水質測定器２０を組み込んだ電解水生成装置１にあって、電解水生成装置１に通水していないときには電気化学的水質測定器２０の検水溶液室１９内に水が存在しない状態になり、この未通水の状態で長時間放置されると、作用電極部２８ｂのガラス感応膜２７の表面が乾燥する。そしてこのように作用電極部２８ｂのガラス感応膜２７の表面が乾燥すると、次回に電解水生成装置１に通水して電気化学的水質測定器２０で電解水の水質を測定しようとするときに、測定の応答性が遅くなるという問題があった。
【００１６】
本発明は上記の点に鑑みてなされたものであり、電気化学的水質測定器の検水溶液室内に気泡が滞留して水質の計測が不能になることを未然に防ぐことができると共に、電気化学的水質測定器の検水溶液室の内圧が上昇して水質の測定精度が影響を受けることを未然に防ぐことができる電解水生成装置を提供することを目的とするものであり、加えて未通水状態で長時間放置されても電極部のガラス感応膜の表面が乾燥状態になることを未然に防ぐことができる電解水生成装置を提供することを目的とするものである。
【００１７】
【課題を解決するための手段】
本発明は、水を電気分解することによりアルカリ性水と酸性水を生成し、この生成されたアルカリ性と酸性の電解水を各別に流出させる電解槽と、電解槽の下流側に配設され、電解槽で生成された電解水の少なくとも一方の水質を電気化学的に測定する電気化学的水質測定器とを具備して形成される電解水生成装置において、電気化学的水質測定器の電解水を通して水質を測定する検水溶液室に流入口と流出口を設け、流入口と流出口との間の水路が検水溶液室内で対角上に位置すると共に流入口が流出口より下側に位置するように流入口と流出口を配置し、流入口の開口面積を流出口の開口面積よりも小さく形成して成ることを特徴とするものである。
【００１８】
また請求項２の発明は、電気化学的水質測定器を検水溶液室にｐＨを測定するための作用電極部のガラス感応膜を設けて形成し、この検水溶液室に流入口をその開口が、ガラス感応膜の下端部より上側になるように設けて成ることを特徴とするものである。
【００１９】
【発明の実施の形態】
以下、本発明の実施の形態を説明する。
図１は電解水生成装置１の一例を示すものであり、電解槽２、浄水装置３、電解質供給装置４、水路切換弁３２、及び電気化学的水質測定器２０等をハウジング３３に納めたものとして構成されている。浄水装置３は抗菌活性炭からなる濾過材３４と中空糸膜からなる濾過材３５とを備えたものであり、この２種類の濾過材３４，３５はそれぞれ単一のカートリッジに納めてあって、カートリッジごと交換することができるようにしてある。
【００２０】
電解槽２内は、電極６が設置された電極室７と、電極８が設置された電極室９とに隔膜５で区画されており、底部側に流入路１０，１１を、上部側に流出路１２，１３を備えている。これら流出路１２，１３は、水路切換弁３２を介して吐出管３６，３７に接続されている。ここにおいて、流入路１０と流出路１３は一方の電極６を囲む隔膜５内の電極室７に連通し、流入路１１と流出路１２は他方の電極８を囲む電極室９に連通しているのであるが、流入路１０は流入路１１よりも細くされていて、電極室７側に流れ込む流量が電極室９側に流れ込む流量より１：３乃至１：４位の比率で少なくなるように調整されている。また上記水路切換弁３２は、流出路１２と吐出管３６とを連通させる時、流出路１３と吐出管３７とを連通させ、流出路１２と吐出管３７とを連通させる時、流出路１３と吐出管３６とを連通させるように電磁ロータリー弁もしくはモータ式切換弁で構成されている。
【００２１】
また、水道蛇口４２に接続した切り替えレバーユニット４３と浄水装置３の間にはサーミスタ３９と定流量弁４１が接続され、また、浄水装置３と電解槽２の間には流量検知センサ３８と電磁弁４０とが配置されており、電磁弁４０と上記流入路１０、１１を個別に接続する配管のうち、流入路１０に至る管の途中に電解質供給装置４（カルシウム剤添加筒）が配置されている。電磁弁４０は排水口４４につながっており、電解水生成装置１への通水が停止されたことを流量検知センサ３８によって検知されると一定時間後に電磁弁４０が開いて、電解槽２内やその他の配管系内の残留水を排出口４４から排出するようにしてある。前記の吐出管３７の途中には、電気化学的水質測定器２０が配置されている。この電気化学的水質測定器２０については後で詳述する。
【００２２】
次に水道水から電解水を生成させるときの水の流れについて説明する。水道蛇口４２に接続した切り替えレバーユニット４３を、浄水装置３側に水が流れるように切り換えると、浄水装置３及び電解質供給装置４を通して流入路１０、１１から電解槽２内に水が導入され、電気分解されるわけであるが、電解槽２内の電解電圧の印加は通水が流量検知センサ３８により検知された場合に開始されるようにしてある。
【００２３】
そして、アルカリ性水を得たい旨の指示がなされているならば、電解槽２の電極６が陽極に、電極８が陰極となるように電解電圧が印加され、電極室９でアルカリ性水が、電極室７で酸性水が生成され、流出路１２側にアルカリ性水が、流出路１３側に酸性水が得られる。このとき水路切換弁３２は流出路１２と吐出管３７とを連通させると共に流出路１３と吐出管３６とを連通させる状態に設定されており、アルカリ性水が吐出管３７側に吐出されて飲用等に利用され、酸性水は吐出管３６側に吐出される。
【００２４】
また酸性水が得たい旨の指示がなされているときは、指示された酸性水の電解度合に応じて次の２つの水の流れとなる。先ず、弱酸性水の場合には、電解槽２内の電極６が陰極に、電極８が陽極になるように電解電圧が印加され、電極室７でアルカリ性水が、電極室９で酸性水が生成され、流出路１３側にアルカリ性水が、流出路１２側に弱酸性水が得られる。このとき、水路切換弁３２は上記と状態と同じに設定されており、弱酸性水が吐出管３７に吐出されてアストリンゼント水等として利用され、アルカリ性水は吐出管３６側に吐出される。
【００２５】
強酸性イオン水の場合は、電解槽２内の電極６が陽極に、電極８が陰極となるように電解電圧が印加され、電極室７で酸性水が、電極室９でアルカリ性水が生成され、流出路１２側にアルカリ性水が、流出路１３側に強酸性水が得られる。この時、水路切替弁３２は流出路１２と吐出管３６とを連通させると共に流出路１３と吐出管３７とを連通させる状態に切り替えられており、強酸性水が吐出管３７に吐出されて殺菌等に利用され、アルカリ性水は吐出管３６側に吐出される。このように、強酸性水を吐出管３７から吐出させる場合に、電極６を陽極として電極室７で酸性水を生成させるのは、前述のように、電極室７側への流入路１０を電極室９側の流入路１１より絞って水の流入量を少なくしているために、電極室７内で強酸性水を得ることが容易となっているためである。
【００２６】
上記のように電解槽２で生成されて吐出管３７より吐出される電解水は、電解槽２と吐出管３７との間に配置される電気化学的水質測定器２０によって水質が測定される。電気化学的水質測定器２０の一例として、電解水のｐＨと酸化還元電位の両方を測定するタイプのものを図６に示す（既述の図９のものと同様な構成を有する）。この電気化学的水質測定器２０は電位差検出方式の電気化学センサであり、図６ではｐＨと酸化還元電位を測定するタイプのもので説明するが、各種イオン濃度や溶存ガスなどの水中溶存成分を測定するものも同様である。電気化学的水質測定器２０の下部内には、封入部１８と検水溶液室１９とを仕切るように液絡部保持部材２４が設けてあり、液絡部保持部材２４にアルミナ系セラミックスなどの多孔質材で形成される液絡部（塩橋）２２を保持させてある。封入部１８には飽和もしくは３．３Ｍ（ｍｏｌ／Ｌ）の塩化カリウム（ＫＣｌ）溶液等の内部溶液１６が封入してあり、この内部溶液１６にはＫＣｌの安定な溶出のために溶液粘度が４０００ｃｐｓ以上（通常は１００００ｃｐｓ程度が好ましい）となるようにカルボキシメチルセルロースやヒドロキシエチルセルロースなどのセルロース系増粘剤が添加してある。比較電極部２１は電極を銀／塩化銀電極で形成してあり、内部溶液１６に浸漬してある。図６において１５は内部溶液補充口、３０は検水溶液室１９の下部に設けた流入口、３１は検水溶液室１９の上部に設けた流出口であり、検水である電解水は流入口３０から検水溶液室１９の下部内に入り、上部の流出口３１から流出するように検水溶液室１９内を流れるようになっている。
【００２７】
また作用電極部２８ｂは、ｐＨを測定するためのガラス感能膜２７や半導体などによるｐＨ測定用電極であり、作用電極部２８ａは酸化還元電位を測定するための白金または金などによる酸化還元電位測定用の不反応電極であり、いずれも下部が検水溶液室１９内に位置するように設置してある。尚、作用電極部２８ａには白金線のガラス封入などにより絶縁被覆部２９を設けてもよく、また白金線は熱収縮性テフロンチューブにより絶縁被覆して絶縁被覆部２９を設けるようにしてもよい。
【００２８】
上記のように図７の電気化学的水質測定器２０では電極が検知用作用電極２８ａ，２８ｂと比較電極２１、及び液絡部２２とで構成され、検水溶液室１９に通水される電解水の水質変化に伴う作用電極２８ａ，２８ｂと比較電極２１との間の電位差の変化を検出するものである。そしてこのように電気化学的水質測定器２０で発生した起電力は、電気化学的水質測定器２０の上部に設けた増幅器（アンプ）で形成される増幅部１４で所定の増幅率で増幅されることによって、相当の電圧として換算されて出力され、さらにＡ／Ｄ変換回路等で形成されるＡ／Ｄ変換部５０でＡ／Ｄ変換された後に、制御部５１に入力されるようになっている。ここではｐＨ又は酸化還元電位の測定であれば、その値に応じて０〜５Ｖの電圧を出力するように増幅率が設定されている。尚、図６のものでは増幅部１４の起動のための電圧として±１２Ｖを印加するものとしてある。
【００２９】
制御部５１はマイクロコンピュータにて構成された制御回路で形成してある。制御部５１内にはＡ／Ｄ変換部５０を一体に組み込んであり、制御部５１はＡ／Ｄ変換部５０を介して電気化学的水質測定器２０の増幅部１４に接続するようにしてある。さらに制御部５１には表示部５２が接続してあり、制御部５１に入力されたｐＨや酸化還元電位のデータに基づいて、表示部５２にｐＨ値や酸化還元電位値が表示されるようになっている。また制御部５１には既述の流量検知センサ３８が接続してある。ここで、制御部５１は、電解槽２の電極６，８に印加する電解電圧をＰＭＷ制御により制御することができるように構成されているものであり、また電解槽２で生成する電解水の目標ｐＨ値と、電気化学的水質測定器２０で測定される電解水のｐＨ値との比較回路を内蔵しており、電解水の実測ｐＨ値が目標ｐＨ値に一致するように、電極６，８に印加する電解電圧のフィードバック制御が行なわれるようにしてある。例えば、電気化学的水質測定器２０で測定される電解水のｐＨ値の変動が±０．１ｐＨ以内の状態が２秒間連続する状態まで追い込むようにフィードバック制御するようにしてあり、この状態になった時点を安定としている。
【００３０】
ここで、図２は電気化学的水質測定器２０の一例を拡大して示し、図３はその検水溶液室１９をさらに拡大して示すものであるが、流入口３０は検水溶液室１９の一方の端部の底面に開口させて設けてあり、流出口３１は検水溶液室１９の他方の端部の上端部に開口させて設けてある。電解槽２で生成された電解水は流入口３０から検水溶液室１９内に流入し、検水溶液室１９内を流れる間に水質を測定された後に、流出口３１から流出するが、このように検水溶液室１９の一方の端部に流入口３０を、他方の端部に流出口３１を設け、流入口３０を流出口３１より下側に位置させるようにすることによって、流入口３０から流出口３１へと検水溶液室１９内を流れる水路は検水溶液室１９の一方の端部の下部から他方の端部の上端部へと検水溶液室１９内の対角上に形成されることになり、図７〜図９にイ矢印で示すような気泡が滞留する流路バイパスとなる部分が生じず、水とともに流入口３０から検水溶液室１９に流入した気泡は水の流れに従って流出口３１から流出する。従って、検水溶液室１９を通過する流量が少ないときにも気泡が検水溶液室１９内に滞留することがなくなり、電気的に導通させる塩橋の役割を果たす液絡部２２が気泡の層で覆われることを防ぐことができるものであり、気泡の影響を受けることなく水質の測定を安定して行なうことができるものである。
【００３１】
また、上記のように、流入口３０は検水溶液室１９の一方の端部の底面に、流出口３１は検水溶液室１９の他方の端部の上端部にそれぞれ開口させて設けてあるが、さらに、流入口３０の開口面積が流出口３１の開口面積よりも小さくなるように、流入口３０と流出口３１を形成してある。
【００３２】
このものでは上記と同様に気泡が検水溶液室１９内に滞留することを防ぐことができるのは勿論、検水溶液室１９を通過する流量が多い場合でも、流入口３０の開口面積が流出口３１の開口面積よりも小さいので、検水溶液室１９の内圧が上昇することを防ぐことができる。従って液絡部２２に検水溶液室１９側から水圧が作用して液絡部２２に検水が浸入することを防止して、液絡部２２の抵抗値が上昇して不斉電位が発生することを防ぐことができ、水質の測定精度に影響が出ないようにすることができるものである。
【００３３】
さらに、図４は電気化学的水質測定器２０の一例を拡大して示し、図５はその検水溶液室１９をさらに拡大して示すものであるが、図２，図３の場合と同様に、流入口３０は検水溶液室１９の一方の端部に、流出口３１は検水溶液室１９の他方の端部の上端部にそれぞれ設けると共に、流入口３０の開口が流出口３１の開口より下側に位置するようにしてあり、また図２，図３の場合と同様に流入口３０の開口面積が流出口３１の開口面積よりも小さくなるようにしてある。そしてこのものでは、流入口３０を検水溶液室１９内にその底面から上方へ立ち上がるように形成してあり、流入口３０の開口３０ａが検水溶液室１９の底部よりも上側に位置するようにしてある。流入口３０の開口３０ａの位置は、流出口３１の開口より下側で且つ、検水溶液室１９に設けられたｐＨを測定するための作用電極部２８ｂのガラス感能膜２７の下端部より上側になるように設定してある。
【００３４】
このものでは上記と同様に気泡が検水溶液室１９内に滞留することを防ぐことができると共に検水溶液室１９の内圧が上昇することを防ぐことができるのは勿論、電解水生成装置１への通水が停止されて電解水生成装置１内の水が排出されたときでも、電気化学的水質測定器２０の検水溶液室１９内には流入口３０の開口３０ａの高さ位置まで水が溜まっている（検水溶液室１９内の水位を図７に鎖線で示す）。従って、この未通水の状態で長時間放置されても、作用電極部２８ｂのガラス感応膜２７は検水溶液室１９内に滞留する水に浸漬されており、ガラス感応膜２７の表面が乾燥状態になることがなく、作用電極部２８ｂのガラス感応膜２７の表面が乾燥した場合に生じる、次回に電解水生成装置１に通水して電気化学的水質測定器２０で電解水の水質を測定しようとするときに測定の応答性が遅くなるという問題が解消されるものである。
【００３５】
【発明の効果】
上記のように本発明は、水を電気分解することによりアルカリ性水と酸性水を生成し、この生成されたアルカリ性と酸性の電解水を各別に流出させる電解槽と、電解槽の下流側に配設され、電解槽で生成された電解水の少なくとも一方の水質を電気化学的に測定する電気化学的水質測定器とを具備して形成される電解水生成装置において、電気化学的水質測定器の電解水を通して水質を測定する検水溶液室に流入口と流出口を設け、流入口と流出口との間の水路が検水溶液室内で対角上に位置すると共に流入口が流出口より下側に位置するように流入口と流出口を配置するようにしたので、水とともに流入口から検水溶液室に流入した気泡は水の流れに従って流出口から流出し、流量が少ないときにも気泡が検水溶液室内に滞留することがなくなるものであり、電気的に導通させる塩橋の役割を果たす液絡部が気泡の層で覆われることを防ぐことができ、気泡の影響を受けて水質の計測が不能になることを未然に防ぐことができるものである。
【００３６】
また、電気化学的水質測定器の検水溶液室に設けられる流入口の開口面積を流出口の開口面積よりも小さく形成するようにしたので、検水溶液室を通過する流量が多い場合でも検水溶液室の内圧が上昇することを防ぐことができるものであり、液絡部に検水溶液室側から水圧が作用して検水が浸入することを防止して、液絡部の抵抗値が上昇して不斉電位が発生することを防ぐことができ、水質の測定精度が影響を受けることを未然に防ぐことができるものである。
【００３７】
また請求項２の発明は、電気化学的水質測定器を検水溶液室にｐＨを測定するための作用電極部のガラス感応膜を設けて形成し、この検水溶液室に流入口をその開口が、ガラス感応膜の下端部より上側になるように設けたので、通水を停止した状態でも検水溶液室内には流入口の高さ位置まで水が溜まっており、この未通水の状態で長時間放置されても、作用電極部のガラス感応膜は滞留する水に浸漬されて表面が乾燥状態になることを防ぐことができ、測定の応答性が遅くなることを未然に防ぐことができるものである。
【図面の簡単な説明】
【図１】  電解水生成装置の一例の概略構成を示す断面図である。
【図２】  本発明の実施の形態の一例における電気化学的水質測定器を示す概略斜視図である。
【図３】  同上の電気化学的水質測定器の一部の拡大した断面図である。
【図４】  本発明の実施の形態の他の一例における電気化学的水質測定器を示す概略斜視図である。
【図５】  同上の電気化学的水質測定器の一部の拡大した断面図である。
【図６】  電気化学的水質測定器と制御系を示す図である。
【図７】  電気化学的水質測定器の一例を示す断面図である。
【図８】  電気化学的水質測定器の他例を示す断面図である。
【図９】  電気化学的水質測定器のさらに他例を示す断面図である。
【図１０】  従来の電解水生成装置の一例を示す概略断面図である。
【符号の説明】
２  電解槽
１９  検水溶液室
２０  電気化学的水質測定装置
３０  流入口
３１  流出口
【図１】
0003903524.tif 000002
【図２】
0003903524.tif 000003
【図３】
0003903524.tif 000004
【図４】
0003903524.tif 000005
【図５】
0003903524.tif 000006
【図６】
0003903524.tif 000007
【図７】
0003903524.tif 000008
【図８】
0003903524.tif 000009
【図９】
0003903524.tif 000010
【図１０】
0003903524.tif 000011